(57)【要約】【課題】コルギ技術の採用により、老廃物の排出、血流向上、小顔や美脚等の美容効果を奏する健康器具を提供すること。【解決手段】本発明の健康器具１は、本体２と、本体２の上部の第１傾斜面に設置される第１ローラ３と、本体２の上部に第２傾斜面に設置される第２ローラ４と、第１ローラ３の回動に対して負荷を与える第１トルクダンパー８と、第２ローラ４の可動に対して負荷を与える第２トルクダンパー９とを備え、第１傾斜面と第２傾斜面は、第１ローラ３と第２ローラ４とが共に内面を向くように所定角度で傾斜されており、記第１及び第２トルクダンパー８，９により、第１及び第２ローラ３，４の皮膚への当接面において所定の圧力を発生させることを特徴とする。【選択図】図１
2018007970.tif 000002
【特許請求の範囲】
【請求項１】
本体と、
前記本体の上部の第１傾斜面に設置される第１ローラと、
前記本体の上部に第２傾斜面に設置される第２ローラと、
前記第１ローラの回動に対して負荷を与える第１トルクダンパーと、
前記第２ローラの可動に対して負荷を与える第２トルクダンパーと、を備え、
前記第１傾斜面と前記第２傾斜面は、前記第１ローラと前記第２ローラとが共に内面を向くように所定角度で傾斜されており、
前記第１及び第２トルクダンパーにより、前記第１及び第２ローラの皮膚への当接面において所定の圧力を発生させることを特徴とする
健康器具。
【請求項２】
前記本体の下部に設置される第３ローラと、
前記第３ローラの回動に対して負荷を与える第３トルクダンパーと、を備え、
前記第３トルクダンパーにより、前記第３ローラの当接面において皮膚への当接面において所定の圧力を発生させることを特徴とする
請求項１に記載の健康器具。
【請求項３】
前記第１乃至第３ローラの表面はシリコン樹脂によりコーティングされている
請求項１又は請求項２に記載の健康器具。
【請求項４】
前記第１傾斜面と前記第２傾斜面とのなす角度は６０度乃至９０度である
請求項１乃至請求項３のいずれか１項に記載の健康器具。
【請求項５】
前記第１乃至第３トルクダンパーは、複数のギアが噛み合い連動することで軸部材の回動に対して所定の負荷を与える負荷発生部を備えており、
前記軸部材が、前記第１乃至第３ローラの軸部材に固定されることで、前記第１乃至第３ローラの回動に対して前記負荷発生部により発生された負荷を与える
請求項１乃至請求項４のいずれか１項に記載の健康器具。
【発明の詳細な説明】
【技術分野】
【０００１】
本発明は、コルギ技術を用いた健康器具に関する。
【背景技術】
【０００２】
従来、ローラを用いて顔等の皮膚表面及び筋肉の表層部をマッサージすることで美容促進を図ることを目的とした各種の美顔ローラが提案されている。そして、このような美顔ローラとしては、一対のローラを顔等に押し付けながら回動させることでマッサージ効果を奏するように構成されたものが多い。
【０００３】
例えば、特許文献１では、頬、顎、喉、頸部などを含む顔の皮膚で一度に２個のローラを転動させることにより、美顔マッサージ作用やリンパの流れを促進するリンパマッサージ作用およびマイナスイオンによる健康増進作用を期待することのできる美顔用ローラが開示されている。
【０００４】
一方、今日では、骨と筋肉を同時に施術することで、間違った位置にズレていた骨を正しい位置に戻し、更に老廃物も押し流し、早期且つ効果的に小顔になることができる施術である「コルギ技術」が美容業界で着目されている。
【０００５】
より詳細には、「コルギ技術」では、骨に届く圧を加えてマッサージし、皮膚と骨の間にある血管やリンパ管を刺激して、溜まった老廃物を排出し、血流を向上させる。このような筋肉をほぐすと同時にリンパの流れを改善するというダブルケアが主な特徴となる。現在では、施術後の「小顔」や「美脚」の美容効果が特に着目されている。
【先行技術文献】
【特許文献】
【０００６】
【特許文献１】実用新案登録第３１６４８２９号公報
【発明の概要】
【発明が解決しようとする課題】
【０００７】
しかしながら、特許文献１に開示された美顔用ローラは、コルギ技術に着目したものではなく、当該コルギ技術の使用による老廃物の排出、血流向上、小顔、美脚効果を十分に期待することはできなかった。
【０００８】
このように、従来技術に係る美顔用ローラは、ローラの回りやすさに着目したものが多く、リンパの流れや血行を改善するまでには至らず、皮膚表面や筋肉の表層部分のケアにとどまっている。また、従来技術に係る美顔ローラは、そのローラ部分が硬いため、強引に圧力を加えた場合、痛みを伴い、圧力設定もされていないため、コルギ技術の施術のための圧力ケアは不可能である。
【０００９】
本発明は、このような課題に鑑みてなされたものであり、コルギ技術の採用により、老廃物の排出、血流向上、小顔や痩身、美脚等の美容効果を奏することを目的とする。
【課題を解決するための手段】
【００１０】
上記課題を解決するため、本発明の一態様に係る健康器具は、本体と、前記本体の上部の第１傾斜面に設置される第１ローラと、前記本体の上部に第２傾斜面に設置される第２ローラと、前記第１ローラの回動に対して負荷を与える第１トルクダンパーと、前記第２ローラの可動に対して負荷を与える第２トルクダンパーとを備え、前記第１傾斜面と前記第２傾斜面は、前記第１ローラと前記第２ローラとが共に内面を向くように所定角度で傾斜されており、前記第１及び第２トルクダンパーにより、前記第１及び第２ローラの皮膚への当接面において所定の圧力を発生させることを特徴とする。
【００１１】
ここで、前記本体の下部に設置される第３ローラと、前記第３ローラの回動に対して負荷を与える第３トルクダンパーとを備え、前記第３トルクダンパーにより、前記第３ローラの当接面において皮膚への当接面において所定の圧力を発生させてもよい。
【００１２】
前記第１乃至第３ローラの表面はシリコン樹脂によりコーティングされていてもよい。
【００１３】
前記第１傾斜面と前記第２傾斜面とのなす角度は６０度乃至９０度であってよい。
【００１４】
前記第１乃至第３トルクダンパーは、油圧とギアの組み合わせにより軸部材の回動に対して所定の負荷を与える負荷発生部を備えており、前記軸部材が、前記第１乃至第３ローラの軸部材に固定されることで、前記第１乃至第３ローラの回動に対して前記負荷発生部により発生された負荷を与えてよい。
【発明の効果】
【００１５】
本発明によれば、コルギ技術の採用により、老廃物の排出、血流向上、小顔や痩身、美脚等の美容効果を奏する健康器具を提供することができる。
【図面の簡単な説明】
【００１６】
【図１】本発明の一実施形態に係る健康器具の構成図である。
【図２】本発明の一実施形態に係る健康器具の断面図である。
【図３】本発明の一実施形態に係る健康器具の構成図である。
【図４】トルクダンパーの構成図である。
【図５】トルクダンパーの構成図である。
【発明を実施するための形態】
【００１７】
以下、図面を参照しつつ本発明の一実施形態について説明する。
【００１８】
本発明の実施形態に係る健康器具は、骨、筋肉及びリンパの３つに同時にアプローチする点がコルギ技術を採用したことによる主な特徴となる。本発明の実施形態に係る健康器具は、コルギ技術を再現するために、効果を出しやすい独自のローラ角度に対して３種類のトルクダンパーを採用した点に特徴があり、コルギ技術特有の圧力ケアの一定化を実現している。これにより、従来の美顔ローラでは実現できなかった、骨、筋肉、リンパの３つを同時にケアすることが可能となっている。更に、ローラ部分をシリコン素材でコーティングすることで、金属アレルギーのユーザをも配慮している。
【００１９】
従来技術に係る美顔ローラと、本願発明に係る健康器具との比較では、使用した後の体温変化に顕著な相違が見られ、本健康器具のローラにより付与する圧力が表情筋やリガメント（靭帯）に行き届き、血行を改善していることが確認された。また、顔に例えば１日３分間使用した結果、フェイスラインや目の下のたるみ、ほうれい線などが改善された。
【００２０】
図１には、本発明の一実施形態に係る健康器具の構成を示し説明する。
【００２１】
同図に示されるように、本体２は、全体形状は前後ともに中央部に向けて膨らんだ形状を基本としつつ、上部において略Ｖ字型に切り取られており、この略Ｖ字型部分において所定角度で傾斜した第１傾斜面及び第２傾斜面が形成されている。そして、本体２の第１傾斜面には開口部が設けられ、当該開口部から略半分が露呈するように第１ローラ３が回動自在に設けられている。同様に、本体２の第２傾斜面には開口部が設けられ、当該開口部から略半分が露呈するように第２ローラ４が回動自在に設けられている。
【００２２】
より詳細には、第１ローラ３は、第１傾斜面の傾斜方向に沿って設けられる軸部材を回転中心として回動自在であり、第２ローラ４は、第２傾斜面の傾斜方向に沿って設けられる軸部材を回動中心として回動自在である。つまり、本体の略Ｖ字型部分に例えば顔の一部をあてつけ、本体２を前後方向に移動させると、その移動に追随して第１ローラ３、第２ローラ４が回動するように構成されている。
【００２３】
一方、本体２の下部にも開口部が設けられており、当該開口部から略２／３が露呈するように第３ローラ５が回動自在に設けられている。より詳細には、第３ローラ５は、開口の長手方向と平行に設けられる軸部材を回動中心として回動自在となっている。この第３ローラ５は、蓋部材６の装着時には内部に収納される。つまり、第３ローラ５は、その使用時においてのみ、蓋部材６を外して使用可能に露呈させる。
【００２４】
以上の他、本体２には、エンブレム７が設けられており、美的外観について、その装飾的効果を高めている。
【００２５】
次に図２には、本発明の一実施形態に係る健康器具の断面図を示し内部構成を更に詳細に説明する。
【００２６】
同図に示されるように、第１ローラ３は、軸方向に垂直は平面で切断したときの断面の内径が下部にいくに従い大きくなるような略俵型をしており、その中央には軸部材１２が固着されている。つまり、第１ローラ３は、軸部材１２と一体に回動する。第１ローラ３の上方には凸部３ｂが設けられており、当該凸部３ｂは、本体２に設けられた凹部２ａの中に回動自在に収まっている。軸部材１２の上記凸部３ｂ方向とは反対側の端は、トルクダンパー８に固着されている。このトルクダンパー８は、その軸部の回動に対して所定の負荷を与えるものであり、軸部材１２の回動に対して所定の負荷を与える。
【００２７】
そして、同様に、第２ローラ４は、軸方向に垂直は平面で切断したときの断面の内径が下部にいくに従い大きくなるような略俵型をしており、その中央には軸部材１３が固着されている。つまり、第２ローラ４は、軸部材１３と一体に回動する。第２ローラ４の上方には凸部４ｂが設けられており、当該凸部４ｂは、本体２に設けられた凹部２ａの中に回動自在に収まっている。軸部材１３の上記凸部４ｂ方向とは反対側の端は、トルクダンパー９に固着されている。このトルクダンパー９は、その軸部の回動に対して所定の負荷を与えるものであり、軸部材１３の回動に対して所定の負荷を与える。
【００２８】
一方、第３ローラ５は、軸方向に垂直は平面で切断したときの断面の内径が中央部より左右にいくに従って緩やかに小さくなるような略俵型をしており、その中央には軸部材１４が固着されている。つまり、第３ローラ５は、軸部材１４と一体に回動する。第３ローラ５の軸部材１４の左右にはトルクダンパー１０，１１の軸部１０ｂ，１１ｂが接続されている。そして、トルクダンパー１０，１１の第３ローラ５から突出した側には軸部１０ｃ，１１ｃが設けられている。軸部１０ｃ，１１ｃは、本体２に設けられた凹部２ｃ，２ｄの中に回動自在に収まっている。このトルクダンパー１０，１１は、その軸部の回動に対して所定の負荷を与えるものであり、軸部材１４の回動に対して所定の負荷を与える構成となっている。
【００２９】
第１ローラ３の表面はシリコン樹脂からなるコーティング部３ａでコーティングされており、第２ローラ４の表面はシリコン樹脂からなるコーティング部４ａでコーティングされており、第３ローラ５の表面はシリコン樹脂からなるコーティング部５ａでコーティングされている。このようにローラをシリコン樹脂でコーティングすることで、金属アレルギーのユーザでも使用可能なものとなる。更に、皮膚への密着感が増し、マッサージ効果をより一層高めることが可能となる。
【００３０】
以上のような構成により、第１ローラ３、第２ローラ４、及び第５ローラ５が回転する際には、トルクダンパー８，９，１０，１１により所定の負荷が与えられるので、コルギ技術特有の圧力ケアの一定化を実現する。そして、骨、筋肉、リンパの３つを同時にケアすることを可能としている。
【００３１】
図３（ａ）乃至図３（ｄ）には、本発明の一実施形態に係る健康器具の各方向から見た様子を示し、説明する。より詳細には、図３（ａ）は平面図、図３（ｂ）は正面図、図３（ｃ）は左側面図、図３（ｄ）は右側面図、図３（ｄ）は底面図である。
【００３２】
図３（ａ）に示されるように、第１ローラ３が配設される開口部２ｅは、本体２の左領域の略中央部に形成され、第２ローラ４が配置される開口部２ｆは、本体２の右領域の中央寄りの位置に形成されている。そして、図３（ｂ）に示されるように、第１ローラ３の接触面と第２ローラ４の接触面とのなす角度φは、この実施形態ではφ＝６０度から９０度、特に８８度となっている。但し、これには限定されない。
【００３３】
図３（ｃ）、図３（ｄ）に示されるように、本体２は、略中央部において最も厚みがあるような略中央部周辺が膨らんだ形状となっている。従って、ユーザは、使用時に本実施形態に係る健康器具を把持しやすく、操作性も向上されている。さらに、図３（ｅ）に示されるように、蓋部材６は本体２の形状に合わせた略楕円の外周形状を有する。但し、蓋部材６の形状もこれには限定されないことは勿論である。
【００３４】
次に図４にはトルクダンパー８の構成を示し説明する。より詳細には、図４（ａ）は側面図、図４（ｂ）は平面図をそれぞれ示している。なお、トルクダンパー９は、以下に説明するトルクダンパー８と同様の構成である。
【００３５】
同図に示されるように、トルクダンパー８は、設置部８ａと負荷発生部８ｂと軸部８ｃとからなる。設置部８ｂは、本体２の内部の所定位置にトルクダンパーを設置し固定するためのものであり、２箇所のネジ穴にねじ止めすることで本体２の内部に固定される。負荷発生部８ｂは、油圧環境下で複数のギアを内部に備えた構成となっており、油圧とギアの組み合わせにより軸部８ｃの回動に対して与える負荷を好適なものに調整できる。軸部８ｃは、負荷発生部８ｂの内部に連結されており、負荷発生部８ｂにより発生される負荷を受けながら回動する。この軸部８ｃは、前述したように、軸部材１２に連結されるので、第１ローラ３の回動に対して負荷が与えられることになる。
【００３６】
次に図５にはトルクダンパー１０の構成を示し説明する。より詳細には、図５（ａ）は左方側面図、図５（ｂ）は平面図、図５（ｃ）は右方側面図である。なお、トルクダンパー１１は、以下に説明するトルクダンパー１０と同様の構成である。
【００３７】
同図に示されるように、負荷発生部１０ａの左右に軸部１０ｂ、１０ｃが設けられている。負荷発生部１０ａは、油圧環境下で複数のギアを内部に備えた構成となっており、油圧とギアの組み合わせにより軸部１０ｂ、１０ｃの回動に対して与える負荷を好適なものに調整することができる。軸部１０ｂは、本体２の凹部２ｃに固定される。一方、軸部１０ｃは、軸部材１４の一端に連結される。従って、軸部材１４の回動に対して所定の負荷が与えられる。これは、軸部材１４と一体となった第３ローラ５の回動に対して所定の負荷を与えることを意味する。
【００３８】
以上のような複数のギアにより負荷が発生し、それが軸部材に与えられるので、第１ローラ３、第２ローラ４、及び第５ローラ５が回転する際には、コルギ技術特有の圧力ケアの一定化を実現し、骨、筋肉、リンパの３つを同時にケアすることが可能となる。尚、負荷の発生の原理については、前述したような複数のギアの連動による機械的負荷には限定されないことは勿論である。
【００３９】
以上、本発明の一実施形態について説明したが、本発明はこれに限定されることなくその趣旨を逸脱しない範囲で種々の改良・変更が可能であることは勿論である。
【００４０】
例えば、２つのローラの大きさや各軸間の角度は、前述したものに限定されるものではなく、使用者に合わせて各種サイズとなるよう設計することも可能である。
【符号の説明】
【００４１】
１…健康器具、２…本体、２ａ…凹部、２ｂ…凹部、２ｃ…凹部、２ｄ…凹部、３…第１ローラ、３ａ…コーティング部、３ｂ…凸部、４…第２ローラ、４ａ…コーティング部、４ｂ…凸部、５…第３ローラ、５ａ…コーティング部、５ｂ…凸部、６…蓋部材、７…エンブレム部材、８…トルクダンパー、８ａ…設置部、８ｂ…負荷発生部、８ｃ…軸部、９…トルクダンパー、１０…トルクダンパー、１０ａ…負荷発生部、１０ｂ，１０ｃ…軸部、１１…トルクダンパー、１２…軸部材、１３…軸部材、１４…軸部材。
【図１】
2018007970.tif 000003
【図２】
2018007970.tif 000004
【図３】
2018007970.tif 000005
【図４】
2018007970.tif 000006
【図５】
2018007970.tif 000007
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
全体形状は前後ともに中央部に向けて膨らんだ形状であり、上部においてＶ字型に切り取られており、このＶ字形の部分に所定角度で傾斜した第１傾斜面及び第２傾斜面が形成された本体と、
前記本体の上部の前記第１傾斜面の開口部に設置されるもので、前記第１傾斜面の傾斜方向に沿って設けられる軸部材を回動中心として回動自在であり、軸方向に垂直な平面で切断したときの断面の内径が下部にいくに従い大きくなる形状の第１ローラと、
前記本体の上部に前記第２傾斜面の開口部に設置されるもので、前記第２傾斜面の傾斜方向に沿って設けられる軸部材を回動中心として回動自在であり、軸方向に垂直な平面で切断したときの断面の内径が下部にいくに従い大きくなる形状の第２ローラと、
前記第１ローラの回動に対して負荷を与える第１トルクダンパーと、
前記第２ローラの回動に対して負荷を与える第２トルクダンパーと、を備え、
前記第１傾斜面と前記第２傾斜面は、前記第１ローラと前記第２ローラとが共に内面を向くように所定角度で傾斜されており、
前記第１及び第２トルクダンパーにより、前記第１及び第２ローラの皮膚への当接面において所定の圧力を発生させることを特徴とする
健康器具。
【請求項２】
前記本体の下部に設置される第３ローラと、
前記第３ローラの回動に対して負荷を与える第３トルクダンパーと、を備え、
前記第３トルクダンパーにより、前記第３ローラの当接面において皮膚への当接面において所定の圧力を発生させることを特徴とする
請求項１に記載の健康器具。
【請求項３】
前記第１乃至第３ローラの表面はシリコン樹脂によりコーティングされている
請求項１又は請求項２に記載の健康器具。
【請求項４】
前記第１傾斜面と前記第２傾斜面とのなす角度は６０度乃至９０度である
請求項１乃至請求項３のいずれか１項に記載の健康器具。
【請求項５】
前記第１乃至第３トルクダンパーは、複数のギアが噛み合い連動することで軸部材の回動に対して所定の負荷を与えるように調整された負荷発生部を備えており、
前記軸部材が、前記第１乃至第３ローラの軸部材に固定されることで、前記第１乃至第３ローラの回動に対して前記負荷発生部により発生された負荷を与える
請求項１乃至請求項４のいずれか１項に記載の健康器具。
【手続補正２】
【補正対象書類名】明細書
【補正対象項目名】００１０
【補正方法】変更
【補正の内容】
【００１０】
上記課題を解決するため、本発明の一態様に係る健康器具は、全体形状は前後ともに中央部に向けて膨らんだ形状であり、上部においてＶ字型に切り取られており、このＶ字形の部分に所定角度で傾斜した第１傾斜面及び第２傾斜面が形成された本体と、前記本体の上部の前記第１傾斜面の開口部に設置されるもので、前記第１傾斜面の傾斜方向に沿って設けられる軸部材を回動中心として回動自在であり、軸方向に垂直な平面で切断したときの断面の内径が下部にいくに従い大きくなる形状の第１ローラと、前記本体の上部に前記第２傾斜面の開口部に設置されるもので、前記第２傾斜面の傾斜方向に沿って設けられる軸部材を回動中心として回動自在であり、軸方向に垂直な平面で切断したときの断面の内径が下部にいくに従い大きくなる形状の第２ローラと、前記第１ローラの回動に対して負荷を与える第１トルクダンパーと、前記第２ローラの回動に対して負荷を与える第２トルクダンパーと、を備え、前記第１傾斜面と前記第２傾斜面は、前記第１ローラと前記第２ローラとが共に内面を向くように所定角度で傾斜されており、前記第１及び第２トルクダンパーにより、前記第１及び第２ローラの皮膚への当接面において所定の圧力を発生させることを特徴とする。
【手続補正３】
【補正対象書類名】明細書
【補正対象項目名】００１４
【補正方法】変更
【補正の内容】
【００１４】
前記第１乃至第３トルクダンパーは、複数のギアが噛み合い連動することで軸部材の回動に対して所定の負荷を与えるように調整された負荷発生部を備えており、前記軸部材が、前記第１乃至第３ローラの軸部材に固定されることで、前記第１乃至第３ローラの回動に対して前記負荷発生部により発生された負荷を与えてよい。